(57)【要約】【課題】机を構成する部品点数が少なく、運搬や組立てが容易に行え、机を複数個並べても隣との間を広くとれ、プライバシー保護も可能な机を提供する。【解決手段】中央パネル１の前面に取付けられた前方机用天板２と、中央パネル１の後面に取付けられた後方机用天板３と、中央パネル１の右端から後方机用天板３に沿って延びる右側袖パネル５と、中央パネル１の左端から前方机用天板２に沿って延びる左側袖パネル４とからなる。左側袖パネル４および右側袖パネル５は、基体ボード４１，５１と、その内部に差し込み引出し可能な引出しボード４２，５２とからなる。各机の左右の袖パネル４，５を互いに接触させて配置すれば、複数個の机Ｄがジグザグ状に配置されることになり、机の周囲のスペースを広くとれ、また隣席を気にせず自席を使うことができる。【選択図】図１
0003139874.tif 000002
【実用新案登録請求の範囲】
【請求項１】
中央パネルと、
該中央パネルの前面に取付けられた前方机用天板と、
前記中央パネルの後面に取付けられた後方机用天板と、
前記中央パネルの右端から前記後方机用天板に沿って延びる右側袖パネルと、
前記中央パネルの左端から前記前方机用天板に沿って延びる左側袖パネルとからなる
ことを特徴とする机。
【請求項２】
前記左側袖パネルおよび前記右側袖パネルがいずれも基体ボードと、該基本ボード内に差し込み引出し可能な引出しボードとからなり、
前記左側袖パネルの引出しボードは後方へ引出し可能であり、前記右側袖パネルの引出しボードは前方へ引出し可能である
ことを特徴とする請求項１記載の机。
【請求項３】
前記中央パネルと前記前方机用天板および前記後方机用天板とは着脱自在な取付金具で取付けられ、
前記中央パネルと前記右側袖パネルおよび前記左側袖パネルとは着脱自在な取付金具で取付けられている
ことを特徴とする請求項１記載の机。
【請求項４】
前記左側袖パネルと前記前方机用天板との間に隙間が設けられ、
前記右側袖パネルと前記後方机用天板との間に隙間が設けられている
ことを特徴とする請求項１記載の机。
【請求項５】
請求項１記載の机を複数個用い、各机の右側袖パネルに他の机の左側袖パネルを接触させて配置した
ことを特徴とする机の配置構造。
【考案の詳細な説明】
【技術分野】
【０００１】
本考案は、机およびその配置構造に関する。さらに詳しくは、パソコン用、一般事務用、学習用その他の用途に用いられる机、またその机の配置構造に関する。
【背景技術】
【０００２】
従来より机は一人用が基本であり、現在でも事務用、パソコン用を問わず、これは変っていない。
特許文献１の従来技術も一人用の机の上にパソコンと書棚を設けるようにしたものである。
特許文献２の従来技術は、通常の机ではなく、パソコンを収容するキャビネットを用い、その前面と後面に作り付けの机用天板を固定したものである。
【０００３】
特許文献１の従来技術は、一人用の机として完結した構成であるため、個々の机の部品点数を少なくすることにも限界がある。また、多数個の机を配置する場合は、設置スペースを多くとる。
特許文献２の従来技術は、二人用であるが、パソコンを収容するキャビネットを二つの机の間に置く構造であるため、それ自体の占有スペースが大きい。また、この二人用机を複数個横に並べて置くと、隣との間が狭くなって仕事がしにくくなったり、また、間に何も遮るものがないので、プライバシー保護ができなかったり、機密確保を要する仕事ができない、という問題がある。
【０００４】
【特許文献１】特開２００５−２６１５３６
【特許文献２】特開平１１−７５９６９
【考案の開示】
【考案が解決しようとする課題】
【０００５】
本考案は上記事情に鑑み、机を構成する部品点数が少なく、運搬や組立てが容易に行える机を提供することを目的とする。また、机を複数個並べても隣との間のスペースを広くとれ、プライバシー保護や機密確保が可能な机を提供することを目的とする。
【課題を解決するための手段】
【０００６】
第１考案の机は、中央パネルと、該中央パネルの前面に取付けられた前方机用天板と、前記中央パネルの後面に取付けられた後方机用天板と、前記中央パネルの右端から前記後方机用天板に沿って延びる右側袖パネルと、前記中央パネルの左端から前記前方机用天板に沿って延びる左側袖パネルとからなることを特徴とする。
第２考案の机は、第１考案において、前記左側袖パネルおよび前記右側袖パネルがいずれも基体ボードと、該基本ボード内に差し込み引出し可能な引出しボードとからなり、前記左側袖パネルの引出しボードは後方へ引出し可能であり、前記右側袖パネルの引出しボードは前方へ引出し可能であることを特徴とする。
第３考案の机は、第１考案において、前記中央パネルと前記前方机用天板および前記後方机用天板とは着脱自在な取付金具で取付けられ、前記中央パネルと前記右側袖パネルおよび前記左側袖パネルとは着脱自在な取付金具で取付けられていることを特徴とする。
第４考案の机は、第１考案において、前記左側袖パネルと前記前方机用天板との間に隙間が設けられ、前記右側袖パネルと前記後方机用天板との間に隙間が設けられていることを特徴とする。
第５考案の机の配置構造は、請求項１記載の机を複数個用い、各机の右側袖パネルに他の机の左側袖パネルを接触させて配置したことを特徴とする。
【考案の効果】
【０００７】
第１考案によれば、中央パネルと２枚の天板と２枚の袖パネルの５部材から２人で使用できる机が構成され、中央パネルは二人分の机の兼用部材であるので、部品点数が少なくなり、また運搬が容易で、組立ても容易に行える。
第２考案によれば、左右の袖パネルから引出しボードを引出せば、隣との間を遮蔽することができるので、プライバシーや機密を守ることができる。また、引出しボードを袖パネルに差し込んでおけば机用天板の周囲のスペースが広がるので、一人分の机を二人で使用することも可能となる。
第３考案によれば、中央パネルと前後の机用天板の着脱も、中央パネルと左右の袖パネルの着脱も自在にできるので、運搬時には分解してコンパクトにでき、使用時は迅速に組立てて即座に使用に供することができる。
第４考案によれば、袖パネルと机用天板との間に長尺の荷物を立て掛けたり、衣類を吊るしておけるので、使用者に便利である。
第５考案によれば、各机の左右の袖パネルを互いに接触させて配置すれば、複数個の机がジグザグ状に配置されることになり、机の周囲のスペースを広くとれ、また隣席を気にせず自席を使うことができる。
【考案を実施するための最良の形態】
【０００８】
つぎに、本考案の実施形態を図面に基づき説明する。
図１は本考案の一実施形態に係る机の平面図である。図２は図１の机の正面図である。図３は図１の机の側面図である。
本明細書において、「前方、後方、左側、右側」の用語は図１を基準として用いた便宜上のものであり、見る位置を変えれば、逆にもなるものである。
【０００９】
本考案の机Ｄは基本的には二人用であって、対面型で使用される机である。用途はパソコン用や学習用、一般事務用であるが、これらに限られない。
構造的には五つの部材、すなわち、中央パネル１、前後２枚の机用天板２，３および左右２枚の袖パネル４，５からなり、中央パネル１は兼用部材となっている。一人一人の机が独立した構造であると、二人用の場合、中央パネル１は２本必要となるが、本考案では１本で済むので、部品点数が少なくてもすむという利点がある。
後述するごとく、これらの５部材は着脱自在であって組立て分解が可能となっている。
【００１０】
前記中央パネル１は立てて用いられる四角形または長方形のパネルである。材質にとくに制限はないが、木質やプラスチックは軽量であり、金属は強度が高いという利点があるので、これらの特質を活かして材質を選択すればよい。
また、この中央パネル１は他の部材を取付ける基板となる部材であり、机として使用するための各種機能部材も取付けられている。そのような機能部材としては、電源コンセント１１、カタログや小物を置くための棚１２、転倒防止用金物１３などを例示できるが、これらに限るものではない。
また、中央パネル１の下方部分に、使用者が足を置くための足置き台１４を取付けてもよく、更に足置き台１４にヒーターを内蔵した暖房型としてもよい。
【００１１】
前記中央パネル１の前面には、前方机用天板２が取付けられ、後面には後方机用天板３が取付けられている。材質には、木質、プラスチック、金属などが任意に用いられる。前記机用天板２，３の大きさは、それぞれが一人用のスペースをもつのであるが、これに限ることなく、大きめの一人用であってり、二人用の大きさであっても差し支えない。
前後の天板２，３の基端部分には、パソコン等の電源コードを収納する溝２１，３１が形成されている。なお、この溝２１，３１は適宜な蓋で覆っておくと、机上を広く使えるので好ましい。
【００１２】
各天板２，３の中央パネル１に対する取付けは、組立て分解が可能なように、ボルト・ナットや公知の引掛け金具などの着脱自在な取付金具が使用される。各天板２，３の下面には、取付強度を高めるため、三角形等の支持板２２，３２を取付けてもよい。この支持板２２，３２の中央パネル１に対する取付けも、支持板２２，３２に対する天板２，３の取付けも、ボルト・ナットや適宜の取付金具を用いてよい。
【００１３】
前記中央パネル１の左端には、それぞれ左側袖パネル４が取付けられ、右端には、右側袖パネル５が取付けられている。
この左右の袖パネル４，５も立てて用いられる四角形または長方形のパネルである。これら左右の袖パネルは中央パネル１の両端から、互いに逆向きに延びている。すなわち、左側袖パネル４は、中央パネル１の左端から前方机用天板２に沿って前方に延びている。右側袖パネル５は、中央パネル１の右端から後方机用天板３に沿って後方に延びている。
【００１４】
前記左右の袖パネル４，５は、いずれも引出し式である。すなわち、いずれの袖パネル４，５も基体ボード４１，５１と引出しボード４２，５２とからなり、引出しボード４２，５２は、基体ボード４１，５１の内部に差し込み引出し可能となっている。左側の引出しボード４２は後方に向って、引出し可能であり、右側の引出しボード５２は前方に向って、引出し可能である。なお、引出しボード４２，５２の引出し差し込み動作を円滑にするため、引出しボード４２，５２の底に車輪を取付けたり、前面に引出し取手４３，５３を取付けてもよい。
【００１５】
前記左右の袖パネル４，５の中央パネル１に対する取付けは、組立て分解が可能なように、ボルト・ナットや公知の引掛け金具などの着脱自在な取付金具が使用される。
【００１６】
前記左右の袖パネル４，５と前後の机用天板２，３の側縁との間には若干の隙間ｄが設けられている。この隙間ｄは、種々の長尺物を立て掛けたり、衣類を吊下げておくために使用される。依頼を吊下げるためのフック４４，５４も各袖パネル４，５の内側に取付けておくとよい。
【００１７】
つぎに、本考案の机の配置構造を説明する。
図４は本考案の机の第一の配置構造を示す平面図である。
この配置構造では、各机Ｄの右側袖パネル５に隣の机Ｄの左側袖パネル４を接触させている。しかも、各袖パネル４，５の両端面を揃えている。この配置であると、各机Ｄがジグザグ状に配置されるので、隣の人との距離が少し離れ、気にせずに仕事することができる。また、各机Ｄの引出しボード４２，５２を引出しておけば、遮蔽もできるので、プライバシーを守れ、機密を要する仕事もしやすくなる。
【００１８】
図５は本考案の机の第二の配置構造を示す平面図である。
この配置構造では、引出しボードをしまい込んだ状態である。なお、両端の引出しボード４２，５２は引出しておいてもよい。このように引出しボード４２，５２を引込めておくと、机用天板２，３の周囲に広いスペースを確保できる。このため、ゆったりした気分で使用したり、二人で１つの机を使用することも可能となる。二人で使用する場合、一人が車いす等を使用していても、補助者が少し横にずれるだけで同じ机を使用できるので、身体障害者にも便利である。
【００１９】
図６は本考案の机の第三の配置構造を示す平面図である。
この配置構造は、個々の机Ｄを離してバラバラに置いたものである。この配置では通常の二人対面用の机として利用できる。引出ボード４２，５２を引出すが、差し込んでおくかは任意である。
【００２０】
本考案の机Ｄは、上記のような各種の配置が可能な外、各部材が分解組立て可能であるので、分解して運搬し、現地で組立てるという使い方も可能なので、イベント用にも向いている。もちろん、一般的な流通においては、運送コストを低減できるという利点もある。
【図面の簡単な説明】
【００２１】
【図１】本考案の一実施形態に係る机の平面図である。
【図２】図１の机の正面図である。
【図３】図１の机の側面図である。
【図４】本考案の机の第一の配置構造を示す平面図である。
【図５】本考案の机の第二の配置構造を示す平面図である。
【図６】本考案の机の第三の配置構造を示す平面図である。
【符号の説明】
【００２２】
Ｄ    机
１    中央パネル
２    前方机用天板
３    後方机用天板
４    左側袖パネル
５    右側袖パネル
【図１】
0003139874.tif 000003
【図２】
0003139874.tif 000004
【図３】
0003139874.tif 000005
【図４】
0003139874.tif 000006
【図５】
0003139874.tif 000007
【図６】
0003139874.tif 000008